(57)【要約】【課題】スリーブ本体の遊端開口の径は、スリーブ径と同等であるため、このままでは線材の挿入性が悪く、特に、ボビンに巻き取られた後は、スリーブ自体が押し潰された状態に扁平し、遊端開口が細まってしまう。【解決手段】所望の長さを有するスリーブ本体１と、該スリーブ本体１の長手方向遊端に形成された拡径部２とを備える。スリーブ本体１は、引張強度が３７．５Ｎ以上のモノフィラメントを使用してスリーブ状に編組されており、具体的には、例えば、ＰＥＴ樹脂等の固相重合の材料を用いて延伸を上げることで原糸張力を高める。拡径部２は、ヒーター板３にスリーブ本体１の遊端開口１ａを押圧せしめることにより、遊端開口１ａを拡径せしめ、また、その部分の単糸がヒーター板３の熱によりそれぞれ溶融し、単糸同志をそれぞれ固着するため、遊端開口１ａを拡径した状態に保形せしめる。【選択図】  図２
0003115675.tif 000002
【実用新案登録請求の範囲】
【請求項１】
所定の長さを有するスリーブ本体と、該スリーブ本体の遊端側に形成された拡径部とを備えてなることを特徴とする編組スリーブ。
【請求項２】
スリーブ本体の遊端側に加熱処理手段を施して遊端開口を拡径させた拡径部を有することを特徴とする編組スリーブ。
【請求項３】
前記スリーブ本体は、固相重合の材料で原糸の張力を高める延伸手段を施してなることを特徴とする請求項１又は２に記載の編組スリーブ。
【請求項４】
前記スリーブ本体は、原糸の引張強度が３７．５Ｎ以上であることを特徴とする請求項１、２又は３に記載の編組スリーブ。
【考案の詳細な説明】
【技術分野】
【０００１】
本考案は、主として家電機器や重電機器又は自動車等における絶縁用、配線用、熱保護用、機械的保護用若しくはホース保護用等に用いる編組スリーブに関し、更に詳しくは、遊端開口を常に拡開した状態に保形して線材等の挿入性を向上せしめた有用な編組スリーブに関する。
【背景技術】
【０００２】
従来、斯かる編組スリーブとしては、例えば、３本乃至４本の編組糸として合糸されており、合糸は製紐機により編組されて編組スリーブになる。その後、巻取ボビンに巻き取られ、所定の長さでカットされる。カットされた遊端の切断面はそのままでは各々の糸が解れる可能性があるため、テープを巻き付けて固定している。また、線材の挿入性を上げるためにスリーブを圧縮して遊端が拡がるように挿入口を形成する方法もある(例えば、特許文献１参照)。
【特許文献１】特開２００１−３２７０２７
【考案の開示】
【考案が解決しようとする課題】
【０００３】
しかしながら、上述した従来の編組スリーブにあっては、遊端縁にテープが巻かれるため、使用する段階でテープを外すかテープが巻かれた部分をカットして使う必要があるなど、テープの処理に手間がかかると共に、カット部分が廃棄物として無駄になってしまうといった問題がある。
【０００４】
更に、スリーブの遊端は、カットされたままの状態で、図３に示すように、合糸及びそれらを構成する単糸１ｂがそれぞれ固定されていないため、解れを生じてしまうことが危惧される。
【０００５】
また、同スリーブの遊端開口の径は、スリーブ径と同等であるため、このままでは線材の挿入性が悪く、特に、ボビンに巻き取られた後は、スリーブ自体が押し潰された状態に扁平し、遊端開口が細まってしまうといった問題がある。
【０００６】
本考案はこのような従来の問題点に鑑みてなされたもので、常時、遊端開口を拡径させた状態に保持せしめることで、線材等の挿入をし易く改善して作業性を高めると共に、品質をも向上させた編組スリーブを提供することを目的としたものである。
【課題を解決するための手段】
【０００７】
上述の如き従来の問題点を解決し、所期の目的を達成するため本考案の要旨とする構成は、所定の長さを有するスリーブ本体と、該スリーブ本体の遊端側に形成された拡径部とを備えてなる編組スリーブに存し、延いては、スリーブ本体の遊端側に加熱処理手段を施して遊端開口を拡径させた拡径部を有する編組スリーブに存する。
【０００８】
また、前記スリーブ本体は、固相重合の材料で糸の張力を高める延伸手段を施すのが良く、更には、原糸の引張強度が３７．５Ｎ以上であるのが好ましい。
【考案の効果】
【０００９】
本考案は上述のように構成され、所定の長さを有するスリーブ本体と、該スリーブ本体の遊端に形成された拡径部とを備えること、特に、スリーブ本体の遊端側に加熱処理手段を施して遊端開口を拡径させた拡径部を有することによって、遊端開口は常に拡がった状態で単糸のそれぞれが溶融して拡径状態に保持されるため、線材等の挿入作業を容易にすることができるといった効果を奏するものであり、仮令、巻取ボビンにより巻き取られた後でも、従来の如く遊端開口が押し潰されたり細まることのないように改善することができた。
【００１０】
また、固相重合の材料で糸の張力を高める延伸手段を施してなること、特に、原糸の引張強度が３７．５Ｎ以上にすることによって、強くて集束力に優れ、解れにくいなど、編組スリーブとしての品質及び商品価値を向上させることができるといった効果を奏する。
【００１１】
その他、本考案の編組スリーブは、構成が単純であるため、大量生産に適し価格も低廉なものとして需用者に供給できるなど、本考案を実施することはその実益的価値が甚だ大である。
【考案を実施するための最良の形態】
【００１２】
スリーブ本体の遊端側に加熱処理手段を施して遊端開口を拡径せしめた拡径部を備え、更には、固相重合の材料で糸の張力を高める延伸手段を施しておくのが良い。
【実施例】
【００１３】
次に本考案の実施の一例を図面を参照しながら説明する。図中Ａは、本考案に係る編組スリーブの一実施例を示すものであり、この編組スリーブＡは、図１に示すように、所望の長さを有するスリーブ本体１と、該スリーブ本体１の長手方向遊端に形成された拡径部２とを備えている。
【００１４】
スリーブ本体１は、引張強度が３７．５Ｎ以上のモノフィラメントを使用してスリーブ状に編組されており、具体的には、例えば、ポリエチレンテレフタレート（ＰＥＴ）樹脂等の固相重合の材料を用いて延伸を上げることで原糸の張力を高めている（延伸手段）。
【００１５】
拡径部２には、加熱処理手段が施されている。すなわち、図２に示すように、加熱処理手段を構成するヒーター板３にスリーブ本体１の遊端開口１ａを押圧せしめることにより、遊端開口１ａは拡径し（図２(ｂ)参照）、また、その部分の単糸はヒーター板３の熱によりそれぞれ溶融し、ヒーター板３から離されることで、溶融した単糸同志がそれぞれ固着するため、遊端開口１ａは拡径した状態に保持されるのである（図２(ｃ)参照）。
【００１６】
このように構成される本考案の編組スリーブＡは、スリーブ本体１の遊端側に拡径部２が形成されると共に、その遊端開口１ａが常時、拡径した状態に保持されるため、家電機器、重電機器、自動車等における絶縁及び／又は配線等の線材Ｂが挿通し易くなり、また、スリーブ本体Ａが、仮令、巻取ボビンにより巻き取られた後でも、遊端開口１ａが押し潰れされたり細まることがないように改善されており、現場での作業性が向上するのである。
【００１７】
尚、本考案の編組スリーブは、本実施例に限定されることなく、本考案の目的の範囲内で自由に設計変更し得るものであり、本考案はそれらの全てを包摂するものである。例えば、本実施例では、スリーブ本体１の片側にしか拡径部２を設けていないが、必要に応じ同スリーブ本体１の長手方向両遊端に拡径部２が形成されることは云うまでもない。
【図面の簡単な説明】
【００１８】
【図１】本考案に係る編組スリーブの実施例の一例を示す斜視図である。
【図２】図２(ａ)は同編組スリーブの遊端をヒーター板に押圧する前を示す説明図、図２(ｂ)は同編組スリーブの遊端をヒーター板に押圧した状態を示す説明図、図２(ｃ)は同編組スリーブの遊端をヒーター板に押圧した後を示す説明図である。
【図３】従来の編組スリーブを示す説明図である。
【符号の説明】
【００１９】
Ａ  編組スリーブ
Ｂ  線材
１  スリーブ本体
１ａ  遊端開口
２  拡径部
３  ヒーター板(加熱処理手段)
【図１】
0003115675.tif 000003
【図２】
0003115675.tif 000004
【図３】
0003115675.tif 000005